(57)【特許請求の範囲】
【請求項１】
容器部材と前記容器部材に蓋をする蓋部材とからなる収納部材と、折り畳み可能な材質で形成されたコップ部材とからなり、前記コップ部材は前記蓋部材により蓋されることで圧縮されて前記収納部材に収納され、かつ、前記蓋を開くことで前記圧縮状態から開放され、コップとして使用可能とされる携帯用コップであって、
前記収納部材は、前記コップ部材がコップとして使用可能とされる際に、前記コップ部材を支持する取っ手として兼用されることを特徴とする携帯用コップ。
【請求項２】
請求項１に記載の携帯用コップであって、
前記収納部材は、前記容器部材と前記蓋部材とが連接点を介して連接されており、
前記容器部材と前記蓋部材とが前記連接点でなす角度が小さくなることで、前記コップ部材が前記蓋部材によって圧縮され、前記角度が大きくなることで前記圧縮状態が開放されることを特徴とする携帯用コップ。
【請求項３】
請求項２に記載の携帯用コップであって、
前記連接点で前記コップ部材が連接されることを特徴とする携帯用コップ。
【請求項４】
請求項１から３のいずれか１つに記載の携帯用コップであって、
前記コップ部材は、シリコン樹脂からなることを特徴とする携帯用コップ。
【請求項５】
請求項１から４のいずれか１つに記載の携帯用コップであって、
前記収納部材と前記コップ部材とが着脱可能であることを特徴とする携帯用コップ。
【発明の詳細な説明】
【技術分野】
【０００１】
本発明は、携帯用コップに関する。
【背景技術】
【０００２】
従来、コップは、ガラスまたはプラスチックの成形品で作られていることが通常であり、携帯するのには不便であり、また、ポケットや小物入れ等に収納することが難しかったことなどから、軽くて持ち運びに便利なコップとして、紙コップや薄肉プラスチックコップなどの使い捨てコップが使用されている。【０００３】
しかしながら、従来の前記使い捨てコップでは、一旦使用した後では、一々ごみ箱等に捨てる必要があり、また、ごみ箱が見当たらない場合は、往々にして道路わきや河川等に投棄され、したがって、資源の無駄になるのみならず、環境破壊の原因にもなる場合があった。【０００４】
このような課題に基づいて、下記特許文献１には、不使用時にはポケットや小物入れ等に収納でき、使い捨てせずに、省資源および環境破壊防止を図ることができる携帯用コップを提供することが報告されている。【０００５】
下記特許文献１に記載される携帯用コップは、縦方向に圧縮可能な略円筒形の伸縮部の下端に底部材を固着し、前記伸縮部の上端に嵌着される蓋部材と前記底部材とに掛止部を設け、収納時には前記伸縮部を圧縮して前記蓋部材と前記底部材とを掛止させる構成とすることにより、不使用時にはポケットや小物入れ等に収納でき、使い捨てせずに、省資源および環境破壊防止を図ることができるとされている。
【特許文献１】特開平５−１０５号公報
【発明の開示】
【発明が解決しようとする課題】
【０００６】
しかしながら、上記特許文献１に記載の携帯用コップでは、コップ使用時に使用者はコップ本体を持たなければならず、不便である場合がある。そこで、コップに取っ手を設けることも考えられるが、単に取っ手を設けたのではこの取っ手が邪魔となり、携帯や収納に不便と成り得る。【０００７】
また、職場や外出先においても食事後に歯磨きをする場合があり、この場合に簡易で携帯性に優れたコップがあれば非常に便利である。【０００８】
本発明は、上記課題に鑑みてなされたものであり、取っ手が邪魔とならないなどの新たな構造の携帯用コップを提供することを主な目的とする。
【課題を解決するための手段】
【０００９】
本発明は、容器部材と前記容器部材に蓋をする蓋部材とからなる収納部材と、折り畳み可能な材質で形成されたコップ部材とからなり、前記コップ部材は前記蓋部材により蓋されることで圧縮されて前記収納部材に収納され、かつ、前記蓋を開くことで前記圧縮状態から開放され、コップとして使用可能とされる携帯用コップであって、前記収納部材は、前記コップ部材がコップとして使用可能とされる際に、前記コップ部材を支持する取っ手として兼用されることを特徴とする。【００１０】
この携帯用コップによれば、収納部材が前記コップ部材を支持する取っ手を兼用するので、取っ手を別途設ける必要がなく、取っ手が携帯や収納の邪魔となることを防止できる。
また、前記携帯用コップは、前記収納部材が前記容器部材と前記蓋部材とが連接点を介して連接されており、前記容器部材と前記蓋部材とが前記連接点でなす角度が小さくなることで、前記コップ部材が前記蓋部材によって圧縮され、前記角度が大きくなることで前記圧縮状態が開放されると好適である。【００１１】
この携帯用コップによれば、蓋を開けるか閉めるかする行為に伴って、コップ部材をコップとして使用可能な状態か収納部材中に収納された状態とすることかを自動的にできる。【００１２】
また、前記携帯用コップは、前記連接点で前記コップ部材が連接されると好適である。この携帯用コップによれば、コップ使用の際に取っ手たる収納部材が邪魔となることをより好適に防止できる。【００１３】
前記コップ部材は、シリコン樹脂からなると好適である。シリコン樹脂は健康面に与える影響などがより好適であるとされており、コップに使用すると好ましい。【００１４】
この携帯用コップによれば、前記収納部材と前記コップ部材とが着脱可能であると好適である。前記収納部材とコップ部材が着脱可能であれば、前記収納部材および／または前記コップ部材を単独に洗浄する用途などに適用可能であり、便宜である。
【発明の効果】
【００１５】
本発明によれば、取っ手が邪魔とならないなどの新たな構造の携帯用コップを提供できる。
【図面の簡単な説明】
【００１６】
【図１Ａ】本実施形態における携帯用コップを示す斜視図である。
【図１Ｂ】本実施形態における携帯用コップを示す上面図である。
【図１Ｃ】本実施形態における携帯用コップを示す断面図である。
【図２】本実施形態における携帯用コップの収納状態を示す図である。
【図３Ａ】本実施形態における携帯用コップを示す斜視図である。
【図３Ｂ】本実施形態における携帯用コップを示す上面図である。
【図３Ｃ】本実施形態における携帯用コップを示す断面図である。
【図４】本実施形態における携帯用コップの収納状態を示す図である。
【図５Ａ】本実施形態における携帯用コップを示す斜視図である。
【図５Ｂ】本実施形態における携帯用コップを示す上面図である。
【図６】本実施形態における携帯用コップの収納状態を示す図である。
【符号の説明】
【００１７】
１０  コップ部
２０  収納部材
３０  連接部材
１００  携帯用コップ。
【発明を実施するための最良の形態】
【００１８】
以下、本発明の実施の形態を図面に基づいて説明する。なお、本実施形態については、本発明を実施するための一形態に過ぎず、本発明は本実施形態によって限定されるものではない。なお、同一または同様の部材については同じ符号を附し、説明を省略する。【００１９】
「実施形態１」
図１Ａ〜Ｃ、図２には本実施形態１に係る携帯用コップ１００が図示される。図１Ａ〜Ｃはコップ使用状態に係る図面、図２はコップ収納状態に係る図面である。コップ使用状態に係る図面たる図１Ａ〜Ｃは、それぞれ図１Ａは斜視図、図１Ｂは上面図、図１Ｃは断面図（図１Ａの紙面上下方向の断面に対応）に対応している。【００２０】
携帯用コップ１００はコップ部１０と収納部材２０とから主に構成されている。コップ部１０は、コップの内容物（例えば水、飲料などの液体）を収容するコップ容器１６を有している。【００２１】
コップ容器１６は、折りたたみ可能な部材からなればよく、特に限定されることはない。例えば、防水加工した紙、防水加工した布、ゴム、ビニール、各種樹脂等のプラスチックフイルム、アルミ箔等の金属箔など、折りたたみ可能なフイルム材が使用される。特にシリコン樹脂であると、シリコン樹脂は健康面に与える影響などがより好適であるとされている観点などから好適である。【００２２】
図２に示されるようにコップ容器１６は収納状態では圧縮されて後述のように収納部材２０中に収納されている。しかし、コップ容器１６は使用状態では、その内部にコップの内容物が溜められることで、または、自動的に空間１２が膨らみ図１Ａ、図１Ｂ等に示されるコップ状の形態となる。【００２３】
コップ容器１６と後述する収納部材２０とは、収納部材２０の一片に設けられた連接部材３０および接続片１４によって連接されている。この接続片１４にあっては、コップ容器１６が連接される片の対向側の片には後述の連接部材３０が形成されている。連接部材３０は収納部材２０と連接されている。ここで、コップ容器１６は接続片１４と着脱可能に構成されている。このため、コップ部１０を、接続片１４を介して分離したり、再び一体化させたりすることができる。なお、コップ部材１０と接続片１４との分離・一体化にあっては、たとえば両者に磁石を設置しておき（図示せず。）、この磁石の磁力により、着脱可能としてもよい。【００２４】
収納部材２０は、二片の第一収納部材２０ａ、第二収納部材２０ｂとから構成されている。第一収納部材２０ａ、第二収納部材２０ｂはそれぞれ側面が台形で形成されている。第一収納部材２０ａと第二収納部材２０ｂとは側面が略線対称な台形に形成されており、
コップ収納状態（図２）では双方の広い面同士が当接し、連接部材３０を一つの頂点とした側面が略六角形の形状とされる。【００２５】
第一収納部材２０ａ、第二収納部材２０ｂにはその内部に収納空間２５ａ、収納空間２５ｂが形成されている。収納空間２５ａ、収納空間２５ｂはいずれか一方を省略することができ、その場合、収納空間を設けた方を容器部材、設けない方を蓋部材とすることができる（本実施形態では、収納空間２５ａ、収納空間２５ｂの両方を設けているので第一収納部材２０ａ、第二収納部材２０ｂのいずれを容器部材、蓋部材と解釈してもよい）。【００２６】
収納部材２０とコップ部１０とは、これらを連接する連接部材３０によって連設されている。連接部材３０は連接部材３０を連接点として第一収納部材２０ａ、第二収納部材２０ｂとでなされる角度θを変化させることが可能な回転部としての機能を備えている。この角度θは、コップ使用状態（図１Ｂ）で大きくなる角度であり、コップ収納状態へ向かって次第に小さくなり、コップ収納状態（図２）では殆ど０°となるように定義される。【００２７】
次に携帯用コップ１００の使用方法について説明する。【００２８】
コップを使用しない状態であるときはコップ収納状態（図２）として携帯する。図２のコップ収納状態は、コップ部１０のコップ容器１６が第一収納部材２０ａ、第二収納部材２０ｂに押圧されて圧縮されている。すなわち、第一収納部材２０ａ、第二収納部材２０ｂの収納空間２５ａ、収納空間２５ｂとの間に挟まれるようにして折りたたまれた状態で収納されている。このとき角度θは殆ど０°であり、第一収納部材２０ａの内面（収納空間２５ａが形成された方の面）、第二収納部材２０ｂの内面（収納空間２５ｂが形成された方の面）とが当接された状態となっている。【００２９】
コップを使用するコップ使用状態（図１Ａ〜Ｃ）とする場合、第一に、連接部材３０を中心点として第一収納部材２０ａの内面、第二収納部材２０ｂの内面とが当接された状態を解除し、双方を相反する方向へ（すなわち角度θを大きくする方向へ）回転させていく。【００３０】
角度θが大きくなると、第一収納部材２０ａ、第二収納部材２０ｂに挟まれて圧縮されていた状態のコップ容器１６は、圧縮状態から開放される。ついには第一収納部材２０ａ、第二収納部材２０ｂの外面の一部が接触するまで角度θは大きくなる（図１Ａ、図１Ｂに示されるθ）。【００３１】
この状態となった携帯用コップ１００は、コップ部１０において内容物がそのコップ容器１６の内部に溜められ、空間１２はさらに拡大し、最終的なコップ状態たる図１Ａ、図１Ｂに示される状態となる。【００３２】
内容物が溜められた携帯用コップ１００を使用して、内容物を飲む場合には、第一収納部材２０ａ、第二収納部材２０ｂを取っ手として持つことでコップ部１０を支持し、この取っ手を介してコップ部１０中の内容物を飲むことができる。【００３３】
「実施形態２」
図３Ａ〜Ｃ、図４には本実施形態２に係る携帯用コップ２００が図示される。図３Ａ〜Ｃはコップ使用状態に係る図面、図４はコップ収納状態に係る図面である。コップ使用状態に係る図面たる図３Ａ〜Ｃは、それぞれ図３Ａは斜視図、図３Ｂは上面図、図３Ｃは断面図（図３Ａの紙面上下方向の断面に対応）に対応している。【００３４】
実施形態１とは、収納部材２０の形態が異なり、他は同様である。【００３５】
収納部材２０は、二片の第一収納部材２０ａ、第二収納部材２０ｂとから構成されている。第一収納部材２０ａ、第二収納部材２０ｂはそれぞれ側面が三角形（図面では略二等辺三角形）で形成されている。第一収納部材２０ａと第二収納部材２０ｂとは側面が略線対称な三角形（図面では略二等辺三角形）で形成されており、コップ収納状態（図４）では双方の底辺同士が当接し、連接部材３０を一つの頂点とした側面が略四角形（図面では略菱形）の形状とされる。【００３６】
「実施形態３」
図５Ａ、５Ｂ、図６には本実施形態３に係る携帯用コップ３００が図示される。図５Ａ、５Ｂにはコップ使用状態に係る図面、図６はコップ収納状態に係る図面である。コップ使用状態に係る図面たる図５Ａ、図５Ｂは、それぞれ図５Ａは斜視図、図５Ｂは上面図に対応している。【００３７】
実施形態１、２とは、収納部材２０の形態が異なり、他は同様である。【００３８】
収納部材２０は、二片の第一収納部材２０ａ、第二収納部材２０ｂとから構成されている。第一収納部材２０ａ、第二収納部材２０ｂはそれぞれ側面が略半ハート型形状で形成されている。第一収納部材２０ａと第二収納部材２０ｂとは側面が略線対称なで略半ハート型形状で形成されており、コップ収納状態（図４）では双方が当接し、連接部材３０を頂点とした側面が略ハート形の形状とされる。【００３９】
本実施形態の携帯用コップによれば、収納部材が前記コップ部材を支持する取っ手を兼用するので、取っ手を別途設ける必要がなく、取っ手が携帯や収納の邪魔となることを防止できる。【００４０】
また、本実施形態の携帯用コップによれば、蓋を開けるか閉めるかする行為に伴って、コップ部材をコップとして使用可能な状態か収納部材中に収納された状態とすることかを自動的にできるので便宜である。【００４１】
また、本実施形態の携帯用コップによれば、コップ使用の際に取っ手たる収納部材が邪魔となることをより好適に防止できる。【００４２】
また、本実施形態の携帯用コップによれば、収納部材とコップ部材とが着脱可能である。このように収納部材とコップ部材が着脱可能であれば、収納部材および／またはコップ部材を単独に洗浄する用途などに適用可能であり、便宜である。【００４３】
また、本実施形態のように携帯時に様々な形状とすることができるので意匠性による興趣を使用者に与えることもできる。
【図１Ａ】
0004629732.tif 000002
【図１Ｂ】
0004629732.tif 000003
【図１Ｃ】
0004629732.tif 000004
【図２】
0004629732.tif 000005
【図３Ａ】
0004629732.tif 000006
【図３Ｂ】
0004629732.tif 000007
【図３Ｃ】
0004629732.tif 000008
【図４】
0004629732.tif 000009
【図５Ａ】
0004629732.tif 000010
【図５Ｂ】
0004629732.tif 000011
【図６】
0004629732.tif 000012